(57)【特許請求の範囲】
【請求項１】
空調ケース内に連結した状態で設けられる複数のスライドドアユニットから成るエアミックスドアであって、
各スライドドアユニットは、枠状のスライドドアケースと、このスライドドアケースの対向する側部にスライド可能に支持されたスライドドアとを備え、
隣接する双方のスライドドアケースの間には、当該双方のスライドドアケースの隣接側の側部同士を着脱可能に連結することにより当該双方のスライドドアケースを着脱可能に連結するスライドドアケース連結手段が設けられていることを特徴とするエアミックスドア。
【請求項２】
請求項１に記載のエアミックスドアにおいて、
前記各スライドドアユニットは、前記スライドドアを駆動するためのスライドドア駆動部を備え、
前記スライドドア駆動部は、前記スライドドアケースの隣接側の側部に前記スライドドアのスライド方向に離間して設けられた複数の前記スライドドアケース連結手段の間に配置されていることを特徴とするエアミックスドア。
【請求項３】
請求項１または請求項２に記載のエアミックスドアにおいて、
前記スライドドアケース連結手段は、隣接する双方のスライドドアケースで、一方のスライドドアケースの隣接側の側部と、他方のスライドドアケースの隣接側と反対側の側部とを連結するものであることを特徴とするエアミックスドア。
【請求項４】
空調ケース内に連結した状態で設けられる複数のスライドドアユニットから成るエアミックスドアを前記空調ケース内に組み付けるエアミックスドアの組み付け方法であって、
各スライドドアユニットは、枠状のスライドドアケースと、このスライドドアケースの対向する側部にスライド可能に支持されたスライドドアとを備え、
前記エアミックスドアの組み付け時に隣接する双方のスライドドアケースの間には、当該双方のスライドドアケースの隣接側の側部同士を着脱可能に連結することにより当該双方のスライドドアケースを着脱可能に連結するスライドドアケース連結手段が設けられ、
前記エアミックスドアの組み付け時に隣接する双方のスライドドアケースの隣接側の側部同士を前記スライドドアケース連結手段で予め連結して前記複数のスライドドアユニットを予め連結し、この状態で当該複数のスライドドアユニットを前記空調ケース内に挿入して組み付けることを特徴とするエアミックスドアの組み付け方法。
【発明の詳細な説明】
【技術分野】
【０００１】
本発明は、車両の空調装置に設けられるエアミックスドア及びエアミックスドアの組み付け方法に関する。
【背景技術】
【０００２】
従来、自動車などの車両には、空気調和装置（以下、空調装置という）が設けられている（例えば、特許文献１参照）。
【０００３】
この空調装置は、車室の前部に設置された空調装置本体と、この空調装置本体から車室の各部に設けられた吹出口に対して空調用空気を送るダクトとを備えている。
【０００４】
空調装置本体は空調ケースを備えている。空調ケース内には、上流側から順にエバポレータ（冷却用熱交換器）と、ヒータコア（加熱用熱交換器）とが設けられている。エバポレータの下流側は温風通路とバイパス通路とに分けられており、ヒータコアは温風通路内に設けられている。エバポレータとヒータコアとの間にはエアミックスドアが設けられている。このエアミックスドアは、エバポレータを通過した空調用空気を温風通路とバイパス通路とに対して分配するものである。
【０００５】
また、空調装置本体から各吹出口ごとに空調用空気の温度を変えたい場合は、空調ケース内を各吹出口に対応するように複数のゾーンに分割する。これに対してエアミックスドアは、各ゾーンに対応するように複数のスライドドアユニットから構成し、各スライドドアユニットを連結している。
【０００６】
各スライドドアユニットは、枠状のスライドドアケースと、このスライドドアケースの対向する側部にスライド可能に支持されたスライドドアとを備えている。各スライドドアユニットは、スライドドアを任意の位置に位置させることにより、空調用空気の温度を変えている。
【０００７】
このようなエアミックスドアを空調ケース内に組み付けるには、空調ケースに設けられた開放口からエバポレータとヒータコアを挿入して空調ケース内に組付けた後に、各スライドドアユニットを開放口から挿入して各ゾーンにそれぞれ配置して組み付けている。
【先行技術文献】
【特許文献】
【０００８】
【特許文献１】特開２００１−２７０３１７号公報
【発明の概要】
【発明が解決しようとする課題】
【０００９】
しかしながら、エアミックスドアの組み付けに際しては、各スライドドアユニットを空調ケース内に別々に挿入するので、スライドドアユニットの連結作業は空調ケース内という限定された空間で行わなければならない。したがって、従来のエアミックスドアでは、空調ケースへの組み付け作業を容易に行うことができなかった。
【００１０】
本発明は、このような従来の課題に鑑みてなされたものであり、空調ケースへの組み付け作業を容易に行うことができるエアミックスドア及びエアミックスドアの組み付け方法を提供することを目的とする。
【課題を解決するための手段】
【００１１】
本発明者等は、鋭意研究の結果、前記課題を解決するために以下のようなエアミックスドア及びエアミックスドアの組み付け方法を採用した。
【００１２】
本発明のエアミックスドアは、空調ケース内に連結した状態で設けられる複数のスライドドアユニットから成るエアミックスドアであって、
各スライドドアユニットは、枠状のスライドドアケースと、このスライドドアケースの対向する側部にスライド可能に支持されたスライドドアとを備え、
隣接する双方のスライドドアケースの間には、当該双方のスライドドアケースの隣接側の側部同士を着脱可能に連結することにより当該双方のスライドドアケースを着脱可能に連結するスライドドアケース連結手段が設けられていることを特徴としている。
また、本発明のエアミックスドアの組み付け方法は、空調ケース内に連結した状態で設けられる複数のスライドドアユニットから成るエアミックスドアを前記空調ケース内に組み付けるエアミックスドアの組み付け方法であって、
各スライドドアユニットは、枠状のスライドドアケースと、このスライドドアケースの対向する側部にスライド可能に支持されたスライドドアとを備え、
前記エアミックスドアの組み付け時に隣接する双方のスライドドアケースの間には、当該双方のスライドドアケースの隣接側の側部同士を着脱可能に連結することにより当該双方のスライドドアケースを着脱可能に連結するスライドドアケース連結手段が設けられ、
前記エアミックスドアの組み付け時に隣接する双方のスライドドアケースの隣接側の側部同士を前記スライドドアケース連結手段で予め連結して前記複数のスライドドアユニットを予め連結し、この状態で当該複数のスライドドアユニットを前記空調ケース内に挿入して組み付けることを特徴としている。
【発明の効果】
【００１３】
本発明のエアミックスドア及びエアミックスドアの組み付け方法は、隣接する双方のスライドドアケースの間にスライドドアケース連結手段を設けた。これによりエアミックスドアは空調ケース内に挿入する前に各スライドドアユニットを連結手段で予め連結し、この状態で空調ケース内に挿入することが可能になる。したがって、スライドドアユニットの連結作業を空調ケース内で行うことが不要になる。よって、本発明のエアミックスドア及びエアミックスドアの組み付け方法は、空調ケースへの組み付け作業を容易に行うことができる。
【図面の簡単な説明】
【００１４】
【図１】本発明の第１の実施の形態の車両の斜視図である。
【図２】同実施の形態の空調装置本体の側方断面図である。
【図３】図２のエアミックスドアを車両前方側から視た斜視図である。
【図４】図３の中央スライドドアユニットの上部の拡大図である。
【図５】図３の状態から左スライドドアユニットを外した状態を示す斜視図である。
【図６】本発明の第２の実施の形態のエアミックスドアを車両前方側から視た斜視図である。
【図７】図６の中央スライドドアユニットの上部の拡大図である。
【発明を実施するための形態】
【００１５】
以下、本発明の実施の形態を図にしたがって説明する。
【００１６】
（第１の実施の形態）
図１は本発明の第１の実施の形態の車両１の斜視図である。この車両１には空調装置２が設けられている。この空調装置２は、車室の前部に設置されたインストルメントパネル３の内部に設けられた空調装置本体４と、この空調装置本体４から車室の各部に設けられた吹出口５に対して空調用空気を送るダクト６とを備えている。
【００１７】
空調装置本体４は、図２に示すように、中空の空調ケース１１と、この空調ケース１１に設けられた空気取入口１２および複数の空気取出口１３とを備えている。各空気取出口１３はダクト６を介して各吹出口５に接続している。
【００１８】
空調ケース１１の内部には、上流側から順にエバポレータ１５と、ヒータコア１６とが設けられている。エバポレータ１５の下流側は、隔壁（図示せず）によって温風通路１７とバイパス通路１８とに分けられている。ヒータコア１６は、温風通路１７の内部に設けられている。
【００１９】
なお、エバポレータ１５は、空調装置２で使用される冷媒の蒸発潜熱を利用して空調用空気を冷却するものである。また、ヒータコア１６は、エンジンによって加熱された冷却水の熱を利用して空調用空気を加熱するものである。
【００２０】
エバポレータ１５とヒータコア１６との間の領域は、各吹出口５に対応するように隔壁（図示せず）によって左右に分割された３つのゾーンＡ〜Ｃ（図３参照）から形成されている。また、この領域にはエアミックスドア１９が設けられている。このエアミックスドア１９は、エバポレータ１５に近接して下半分がヒータコア１６に対応するように設置されており、エバポレータ１５を通過した空調用空気を温風通路１７とバイパス通路１８とに対して分配するものである。
【００２１】
また、エアミックスドア１９は、図３に示すように、３つのスライドドアユニット（右スライドドアユニット２５、中央スライドドアユニット２６、左スライドドアユニット２７）から構成されている。各スライドドアユニット２５〜２７は、それぞれ各ゾーンＡ〜Ｃに対応するように左右に並列して配置されて連結されている。
【００２２】
右スライドドアユニット２５は、枠状の右スライドドアケース２５１と、右スライドドアケース２５１の対向する左右側部２５１ａ，２５１ｂにスライド可能に支持された右スライドドア２５２と、右スライドドア２５２をスライド駆動するための右スライドドア駆動部２５３とを備えている。
【００２３】
中央スライドドアユニット２６は、枠状の中央スライドドアケース２６１と、中央スライドドアケース２６１の対向する左右側部２６１ａ，２６１ｂにスライド可能に支持された中央スライドドア２６２と、中央スライドドア２６２をスライド駆動するための中央スライドドア駆動部２６３とを備えている。
【００２４】
左スライドドアユニット２７は、枠状の左スライドドアケース２７１と、左スライドドアケース２７１の対向する左右側部２７１ａ，２７１ｂにスライド可能に支持された左スライドドア２７２と、左スライドドア２７２をスライド駆動するための左スライドドア駆動部２７３とを備えている。
【００２５】
各スライドドアケース２５１〜２７１は、それぞれ内部にスライドドア２５２〜２７２が支持されていることにより、上側に冷風側開口部２２が形成され、下側に温風側開口部２１が形成されている。冷風側開口部２２は、エバポレータ１５を通過した空調用空気をバイパス通路１８に通すものである。この空調用空気は冷風になる。温風側開口部２１は、エバポレータ１５を通過した空調用空気をヒータコア１６に通すものである。ヒータコア１６を通過した空調用空気は温風になる。
【００２６】
各スライドドア２５２〜２７２は、それぞれスライドドア駆動部２５３〜２７３によってスライドすることにより、温風側開口部２１と冷風側開口部２２の面積を変えて冷風と温風の混合割合を変え、各吹出口５から吹き出される空調風の温度を制御している。
【００２７】
隣接する双方のスライドドアケース（右スライドドアケース２５１と中央スライドドアケース２６１、中央スライドドアケース２６１と左スライドドアケース２７１）の間には、双方のスライドドアケースを着脱可能に連結する上下一組のスライドドアケース連結手段２８，２８が設けられている。
【００２８】
まず、中央スライドドアケース２６１と左スライドドアケース２７１とを着脱可能に連結する左側のスライドドアケース連結手段２８，２８について説明する。
【００２９】
図４にも示すように左側のスライドドアケース連結手段２８，２８は、中央スライドドアケース２６１と左スライドドアケース２７１の隣接側の側部同士（中央スライドドアケース２６１の左側部２６１ａと左スライドドアケース２７１の右側部２７１ｂ）を着脱可能に連結するものである。
【００３０】
この左側のスライドドアケース連結手段２８，２８は、中央スライドドアケース２６１の左側部２６１ａの上部と下部にそれぞれ設けられた被挿通部２８１と、左スライドドアケース２７１の右側部２７１ｂの上部と下部にそれぞれ設けられた挿通部２８２とを備えている。
【００３１】
被挿通部２８１には通し穴２８１ａが形成されている。挿通部２８２は右方へ突出して形成されており、先端部２８２ａが通し穴２８１ａに通されている。この先端部２８２ａは先端へ向けて薄くなるような断面三角状の爪状に形成されており、通し穴２８１ａに係脱可能に係止している。
【００３２】
このように左側のスライドドアケース連結手段２８，２８は、挿通部２８２，２８２が被挿通部２８１，２８１に係脱可能に係止することにより、図３と図５に示すように左スライドドアユニット２７と中央スライドドアユニット２６とを着脱可能に連結している。
【００３３】
次に、中央スライドドアケース２６１と右スライドドアケース２５１とを着脱可能に連結する右側のスライドドアケース連結手段２８，２８について説明する。
【００３４】
図４にも示すように右側のスライドドアケース連結手段２８，２８は、中央スライドドアケース２６１と右スライドドアケース２５１の隣接側の側部同士（中央スライドドアケース２６１の右側部２６１ｂと右スライドドアケース２５１の左側部２５１ａ）を着脱可能に連結するものである。
【００３５】
この右側のスライドドアケース連結手段２８，２８は、中央スライドドアケース２６１の右側部２６１ｂの上部と下部にそれぞれ設けられた被挿通部２８１と、右スライドドアケース２５１の左側部２５１ａの上部と下部にそれぞれ設けられた挿通部２８２とを備えている。
【００３６】
この被挿通部２８１と挿通部２８２は、上記で説明した左側のスライドドアケース連結手段２８の被挿通部２８１と挿通部２８２と基本的に同じ構造である。この挿通部２８２は左方へ突出して形成されており、先端部２８２ａが被挿通部２８１の通し穴２８１ａに通されて係脱可能に係止している。
【００３７】
このように右側のスライドドアケース連結手段２８，２８は、挿通部２８２，２８２が被挿通部２８１，２８１に係脱可能に係止することにより、右スライドドアケース２５１と中央スライドドアケース２６１とを着脱可能に連結している。
【００３８】
以上説明したように本実施の形態のエアミックスドア１９は、隣接する双方のスライドドアケース（右スライドドアケース２５１と中央スライドドアケース２６１、中央スライドドアケース２６１と左スライドドアケース２７１）の間にスライドドアケース連結手段２８，２８を設けた。これによりエアミックスドア１９は、空調ケース１１（図２参照）内に挿入する前に、スライドドアユニット２５〜２７をスライドドアケース連結手段２８で予め連結し、この状態で空調ケース１１内に挿入して組み付けることが可能になる。したがって、スライドドアユニット２５〜２７の連結作業を空調ケース１１内で行うことが不要になる。よって、本実施の形態のエアミックスドア１９は、空調ケース１１への組み付け作業を容易に行うことができる。
【００３９】
また、本実施の形態のエアミックスドア１９では、スライドドアケース連結手段２８を、隣接する双方のスライドドアケースの隣接する側同士を着脱可能に連結するようにした。したがって、スライドドアユニット２５〜２７の連結作業を容易に行うことが可能になる。よって、本実施の形態のエアミックスドア１９は、空調ケース１１への組み付け作業の作業性を上げることができる。
【００４０】
さらに本実施の形態のエアミックスドア１９では、スライドドアケース連結手段２８を、隣接する双方のスライドドアケースを着脱可能に係止して連結するようにした。これにより、双方のスライドドアケースをボルト等の締結部材を用いずに連結することが可能になる。よって、本実施の形態のエアミックスドア１９は、スライドドアユニット２５〜２７の連結作業をさらに容易に行うことができ、空調ケース１１への組み付け作業の作業性をさらに上げることができる。
【００４１】
さらに本実施の形態のエアミックスドア１９では、スライドドアケース連結手段２８を、被挿通部２８１と挿通部２８２とから構成し、挿通部２８２が被挿通部２８１に係脱可能に係止することにより、隣接する双方のスライドドアケース２５１，２６１、２６１，２７１を着脱可能に連結するようにした。
【００４２】
つまり、双方のスライドドアケース２５１，２６１、２６１，２７１を着脱可能に連結する構成を、被挿通部２８１と挿通部２８２という簡単な構成にした。したがって、スライドドアユニット２５〜２７の連結作業を低コストで容易に行うことが可能になる。よって、本実施の形態のエアミックスドア１９は、空調ケース１１への組み付け作業を低コストで容易に行うことができる。
【００４３】
（第２の実施の形態）
図６は、本発明の第２の実施の形態のエアミックスドア１１９を車両前方側から視た斜視図である。本実施の形態のエアミックスドア１１９において第１の実施の形態のエアミックスドア１９と同じ部分には同じ符号を付し、異なる部分を中心にして説明する。
【００４４】
本実施の形態のエアミックスドア１１９は、第１の実施の形態のエアミックスドア１９と同様に３つのスライドドアユニット（右スライドドアユニット１２５、中央スライドドアユニット１２６、左スライドドアユニット１２７）から構成されている。各スライドドアユニット１２５〜１２７は、それぞれ各ゾーンＡ〜Ｃに対応するように左右に並列して配置されて連結されている。
【００４５】
右スライドドアユニット１２５は、枠状の右スライドドアケース１２５１と、右スライドドアケース１２５１の対向する左右側部１２５１ａ，１２５１ｂにスライド可能に支持された右スライドドア１２５２と、右スライドドア１２５２をスライド駆動するための右スライドドア駆動部１２５３とを備えている。
【００４６】
中央スライドドアユニット１２６は、枠状の中央スライドドアケース１２６１と、中央スライドドアケース１２６１の対向する左右側部１２６１ａ，１２６１ｂにスライド可能に支持された中央スライドドア１２６２と、中央スライドドア１２６２をスライド駆動するための中央スライドドア駆動部１２６３とを備えている。
【００４７】
左スライドドアユニット１２７は、枠状の左スライドドアケース１２７１と、左スライドドアケース１２７１の対向する左右側部１２７１ａ，１２７１ｂにスライド可能に支持された左スライドドア１２７２と、左スライドドア１２７２をスライド駆動するための左スライドドア駆動部１２７３とを備えている。
【００４８】
隣接する双方のスライドドアケース（右スライドドアケース１２５１と中央スライドドアケース１２６１、中央スライドドアケース１２６１と左スライドドアケース１２７１）の間には、双方のスライドドアケースを着脱可能に連結する上下一組のスライドドアケース連結手段１２８，１２８が設けられている。
【００４９】
まず、左スライドドアケース１２７１と中央スライドドアケース１２６１とを連結する左側のスライドドアケース連結手段１２８，１２８について説明する。
【００５０】
図７にも示すように左側のスライドドアケース連結手段１２８，１２８は、左スライドドアケース１２７１の隣接側の側部（右側部１２７１ｂ）と、中央スライドドアケース１２６１の隣接側と反対側の側部（右側部１２６１ｂ）とを連結するものである。
【００５１】
この左側のスライドドアケース連結手段１２８，１２８は、中央スライドドアケース１２６１の右側部１２６１ｂの上部と下部にそれぞれ設けられた被挿通部１２８１と、左スライドドアケース１２７１の右側部１２７１ｂの上部と下部にそれぞれ設けられた挿通部１２８２とを備えている。
【００５２】
被挿通部１２８１には通し穴１２８１ａが形成されている。挿通部１２８２は右方に延びて形成されており、先端部１２８２ａが通し穴１２８１ａに通されている。この先端部１２８２ａは先端へ向けて薄くなるような断面三角状の爪状に形成されており、通し穴１２８１ａに係脱可能に係止している。
【００５３】
このように左側のスライドドアケース連結手段１２８，１２８は、挿通部１２８２，１２８２が被挿通部１２８１，１２８１に係脱可能に係止することにより、中央スライドドアケース１２６１と左スライドドアケース１２７１とを着脱可能に連結している。
【００５４】
次に、右スライドドアケース１２５１と中央スライドドアケース１２６１とを連結する右側のスライドドアケース連結手段１２８，１２８について説明する。
【００５５】
図７にも示すように右側のスライドドアケース連結手段１２８，１２８は、右スライドドアケース１２５１の隣接側の側部（左側部１２５１ａ）と、中央スライドドアケース１２６１の隣接側と反対側の側部（左側部１２６１ａ）とを連結するものである。
【００５６】
この右側のスライドドアケース連結手段１２８，１２８は、中央スライドドアケース１２６１の左側部１２６１ａの上部と下部にそれぞれ設けられた被挿通部１２８１と、右スライドドアケース１２５１の左側部１２５１ａの上部と下部にそれぞれ設けられた挿通部１２８２とを備えている。
【００５７】
この被挿通部１２８１と挿通部１２８２は、上記で説明した左側のスライドドアケース連結手段１２８の被挿通部１２８１と挿通部１２８２と基本的に同じ構造である。ここでの挿通部１２８２は左方へ延びて形成されており、先端部１２８２ａが被挿通部１２８１の通し穴１２８１ａに通されて係脱可能に係止している。
【００５８】
このように右側のスライドドアケース連結手段１２８，１２８は、挿通部１２８２，１２８２が被挿通部１２８１，１２８１に係脱可能に係止することにより、右スライドドアケース１２５１と中央スライドドアケース１２６１とを着脱可能に連結している。
【００５９】
以上説明したように本実施の形態のエアミックスドア１１９は、隣接する双方のスライドドアケース（右スライドドアケース１２５１と中央スライドドアケース１２６１、中央スライドドアケース１２６１と左スライドドアケース１２７１）の間にスライドドアケース連結手段１２８を設けた。これによりエアミックスドア１１９は、空調ケース１１（図２参照）内に挿入する前に、スライドドアユニット１２５〜１２７をスライドドアケース連結手段１２８で予め連結し、この状態で空調ケース１１内に挿入して組み付けることが可能になる。このため、スライドドアユニット１２５〜１２７の連結作業を空調ケース１１内で行うことが不要になる。よって、本実施の形態のエアミックスドア１１９は、空調ケース１１への組み付け作業を容易に行うことができる。
【００６０】
さらに本実施の形態のエアミックスドア１１９では、スライドドアケース連結手段１２８を、隣接する双方のスライドドアケースにおいて、一方のスライドドアケースの隣接側の側部と、他方のスライドドアケースの隣接側と反対側の側部とを連結するようにした。これにより、隣接する双方のスライドドアケースを密着させて連結することが可能になるので外れにくい。よって、本実施の形態のエアミックスドア１１９は、空調ケース１１への組み付け作業の作業性を上げることができる。
【００６１】
また、本実施の形態のように３つのスライドドアケース１２５１〜１２７１を連結する場合には、本実施の形態のスライドドアケース連結手段１２８により、中央スライドドアケース１２６１に左右のスライドドアケース１２５１，１２７１が密着して連結される。したがって、スライドドアユニット１２５〜１２７の外れを確実に防止することができ、エアミックスドア１１９の空調ケース１１への組み付け作業の作業性を確実に上げることができる。
【００６２】
以上、本発明に係る実施の形態を例示したが、この実施の形態は本発明の内容を限定するものではない。また、本発明の請求項の範囲を逸脱しない範囲であれば、各種の変更等は可能である。
【００６３】
例えば、上記の２つの実施の形態では、中央スライドドアケースに被挿通部を設け、左右のスライドドアケースに挿通部を設けたが、中央スライドドアケースに挿通部を設け、左右のスライドドアケースに被挿通部を設けても良い。
【００６４】
また、スライドドアケース連結手段は、第１の実施の形態では、隣接する双方のスライドドアケースの隣接する側同士を着脱可能に連結するものを適用し、第２の実施の形態では、一方のスライドドアケースの隣接側の側部と、他方のスライドドアケースの隣接側と反対側の側部とを連結するものを適用したが、両方を一緒に適用しても良い。
【００６５】
具体的に説明すると、上下一組のスライドドア連結手段において、上側または下側のスライドドア連結手段に第１の実施の形態で適用したスライドドア連結手段を適用し、下側または上側のスライドドア連結手段に第２の実施の形態で適用したスライドドア連結手段を適用しても良い。
【産業上の利用可能性】
【００６６】
以上説明したように本発明のエアミックスドアは、空調ケースへの組み付け作業を容易に行うことができる。したがって、本発明のエアミックスドアを、エアミックスドアの技術分野で十分に利用することができる。
【符号の説明】
【００６７】
１１    空調ケース
１９    エアミックスドア
２５    右スライドドアユニット
２６    中央スライドドアユニット
２７    左スライドドアユニット
２８    スライドドアケース連結手段
１１９    エアミックスドア
１２５    右スライドドアユニット
１２６    中央スライドドアユニット
１２７    左スライドドアユニット
１２８    スライドドアケース連結手段
２５１    右スライドドアケース
２５１ａ    左側部
２５１ｂ    右側部
２５２    右スライドドア
２６１    中央スライドドアケース
２６１ａ    左側部
２６１ｂ    右側部
２６２    中央スライドドア
２７１    左スライドドアケース
２７１ａ    左側部
２７１ｂ    右側部
２７２    左スライドドア
２８１    被挿通部
２８２    挿通部
１２５１    右スライドドアケース
１２５１ａ    左側部
１２５１ｂ    右側部
１２５２    右スライドドア
１２６１    中央スライドドアケース
１２６１ａ    左側部
１２６１ｂ    右側部
１２６２    中央スライドドア
１２７１    左スライドドアケース
１２７１ａ    左側部
１２７１ｂ    右側部
１２７２    左スライドドア
１２８１    被挿通部
１２８２    挿通部
【図１】
0005847573.tif 000002
【図２】
0005847573.tif 000003
【図３】
0005847573.tif 000004
【図４】
0005847573.tif 000005
【図５】
0005847573.tif 000006
【図６】
0005847573.tif 000007
【図７】
0005847573.tif 000008